(57)【要約】【課題】比較的小規模の田畑や家庭菜園などにおいても、座ったままの姿勢で農作業を楽に行え、且つ安価に製造可能な跨座式農作業用台車を提供する。【解決手段】平面視で前後方向に細長い矩形のフレーム２と、該フレーム２の少なくとも前後方向の両側ごとに取り付けた車輪Ｗ１，Ｗ２と、上記フレーム２の上面２ａの中央付近から立設した支柱６と、該支柱６の上端に取り付けた座板２４と、前記支柱６に対し旋回可能に嵌装した筒体７の中間から水平方向に延びた枝管９と、該枝管９に水平な基部１２が着脱可能に取り付けられ、係る基部１３と連続し且つ垂直部１３の中間および上端に支持部ｓ１，ｓ２を有するＬ形管１１と、を備えている、跨座式農作業用台車１。【選択図】  図２
0003155385.tif 000002
【実用新案登録請求の範囲】
【請求項１】
平面視で前後方向に細長い矩形のフレームと、
上記フレームの少なくとも前後方向の両側ごとに取り付けた車輪と、
上記フレームの上面の中央付近から立設した支柱と、
上記支柱の上端に取り付けた座板と、
上記支柱の中間から水平方向に延びた枝管と、
上記枝管に水平な基部が着脱可能に取り付けられ、係る基部と連続し且つ垂直部の中間および上端の少なくとも一方に支持部を有するＬ形管と、を備えている、
ことを特徴とする跨座式農作業用台車。
【請求項２】
前記枝管は、前記支柱に対し水平方向に旋回可能に嵌装された筒体に固定されている、
ことを特徴とする請求項１に記載の跨座式農作業用台車。
【請求項３】
前記フレームの前後方向の一端には、左右一対の前記車輪の周面に当接および離脱可能な左右一対のブレーキ板が水平に配置され、該一対のブレーキ板は、平面視がコ字形の連結片を介して連結され、該連結片の基端は、上記フレームの両側面に垂直方向に沿って旋回可能に支持されている、
ことを特徴とする請求項１または２に記載の跨座式農作業用台車。
【請求項４】
前記Ｌ形材の垂直部における上端の支持部は、接離可能な一対の挟み板を含み、係る一対の挟み板の間には、傘の柄が挟持される、
ことを特徴とする請求項１乃至３の何れか一項に記載の跨座式農作業用台車。
【請求項５】
前記Ｌ形材の垂直部における中間の支持部は、係る垂直部に対し水平方向に沿って旋回可能に支持される基端部と、該基端部から水平方向に延びたアームと、該アームの先端に設けた支持台と、を備えている、
ことを特徴とする請求項１乃至４の何れか一項に記載の跨座式農作業用台車。
【考案の詳細な説明】
【技術分野】
【０００１】
本考案は、使用者が主に座ったままの姿勢で各種の農作業が容易且つ確実に行え、疲労しにくい跨座式農作業用台車に関する。
【背景技術】
【０００２】
一般に、農作業は、作業者の膝、腰、および足などに大きな負担が加わるため、これらを低減すべく、搭載したモータにより自走可能な農作業用台車、および、係る農作業用台車に対し地面との姿勢が変更可能な椅子を取り付けた農作業用椅子が提案されている（例えば、特許文献１参照）。
あるいは、作業者が回転椅子に腰掛けた状態で、果樹園、菜園、あるいは温室内などで果実、野菜、花などの栽培に関する種々の農作業が行えるようにした自走式作業台車も提案されている（例えば、特許文献２参照）。
【０００３】
しかし、特許文献１の前記農作業用台車および農作業用椅子や、特許文献２の自走式作業台車は、モータなどの駆動源を搭載するため、サイズが比較的大型でコスト高になり易く、しかも取り扱いが複雑で且つ保守管理も煩雑となる。そのため、小規模の田畑や菜園などにおける畝と畝との間などの狭い場所において、播種、植え付け、施肥、除草、摘み取りなどの農作業を行う農家や、比較的小規模の田畑や家庭菜園などで同様な農作業を行う作業者には、不向きであった。
【先行技術文献】
【特許文献】
【０００４】
【特許文献１】特開２００７−１４２５９号公報(第１〜１６頁、図１〜１２)
【特許文献２】実開平７−１７０４公報（第１〜３頁、図１〜４）
【考案の概要】
【考案が解決しようとする課題】
【０００５】
本考案は、背景技術において説明した問題点を解決し、比較的小規模の田畑や家庭菜園などでも、座ったままの姿勢で農作業を楽に行え、且つ安価に製造可能な跨座式農作業用台車を提供する、ことを課題とする。
【課題を解決するための手段および考案の効果】
【０００６】
本考案は、４個以上の車輪に支持されたフレーム上に取り付けた座板に座ったままの姿勢で農作業が行えるようにする、ことに着想して成されたものである。
即ち、本考案の跨座式農作業用台車（請求項１）は、平面視で前後方向に細長い矩形のフレームと、該フレームの少なくとも前後方向の両側ごとに取り付けた車輪と、前記フレームの上面の中央付近から立設した支柱と、該支柱の上端に取り付けた座板と、前記支柱の中間から水平方向に延びた枝管と、該枝管に水平な基部が着脱可能に取り付けられ、係る基部と連続し且つ垂直部の上端および中間の少なくとも一方に支持部を有するＬ形管と、を備えている、ことを特徴とする。
【０００７】
これによれば、前後左右に位置する４個以上の車輪に支持されたフレームの上方に支柱を介して座板が取り付けられているので、作業者は係る座板に腰掛けた状態で、各種の農作業を行うことができる。そのため、腰や膝などに負担をかけず、疲労することなく、比較的低い位置での手作業により、除草や、野菜あるいは果実の採取などの農作業を容易に行うことが可能となる。しかも、支柱の中間から水平方向に延びた枝管に基部を着脱可能に取り付けたＬ形管の支持部に、例えば、ファン、あるいはセラミックヒータなどを固定することで、夏季の暑さや厳冬期の寒さを抑制したり、更には、上端側の支持部に傘（雨傘や日傘）を固定して雨水や日光を遮ることも可能となる。従って、身体に負担を与えることなく、種々の農作業を容易で且つ確実に行うことできると共に、低コストで製作することも可能となる。
【０００８】
尚、前記フレームには、垂直断面がチャンネル形、またはほぼ角形の型鋼、あるいはアルミニウム合金の押出形材が用いられる。
また、前記座板は、地面（車輪の最低部）から約３０〜５０ｃｍ程度の高さが推奨される。そのため、各車輪の直径は、約１５〜２０ｃｍ程度が推奨される。
更に、前記座板は、支柱の上端に固定した水平板に対し、複数組のボルト・ナットに固定され、平面視で９０度（直角）回転した向きで固定することもできる。
【０００９】
また、本考案には、前記枝管は、前記支柱に対し水平方向に旋回可能に嵌装された筒体に固定されている、跨座式農作業用台車（請求項２）も含まれる。
これによれば、上記筒体を水平方向に任意の角度で回転することで、係る筒体と共に回転した枝管に基部を着脱可能に取り付けたＬ形管を、作業者にとって農作業に支障が生じにくい位置に配置することができる。従って、係るＬ形管の垂直部における上端あるいは中間に位置する支持部に、前記ファン、ヒータ、傘、トランジスタラジオ、あるいは携帯情報端末機などを固定することで、身体に負担を与えず、天候に左右されにくくして、楽に農作業を行うことが可能となる。
【００１０】
更に、本考案には、前記フレームの前後方向の一端には、左右一対の前記車輪の周面に当接および離間可能な左右一対のブレーキ板が水平に配置され、該一対のブレーキ板は、平面視がコ字形の連結片に連結され、該連結片の基端は、上記フレームの両側面に垂直方向に沿って旋回可能に支持されている、跨座式農作業用台車（請求項３）も含まれる。
これによれば、連結片の先端部を上向きに持ち上げると、係る連結片と共に左右一対のブレーキ板が若干上昇し、隣接する一対の車輪の周面に当接する。その結果、係る一対の車輪が固定されるので、傾斜地や山間の畑などで不用意に本農作業用台車が走り出す事態を防止できる。従って、作業者が必要に応じて、立ち上がった場合でも、安全性を確保ししつ、農作業を行うことが可能となる。
尚、連結片を上向きに持ち上げるた状態を保つため、フレームの当該端部に斜め下向きに固定した取手の上に、支持管を水平に固着すると共に、係る支持管に対し、ほぼ長円形のリングを垂直面に沿って回転可能に支持し、該リング上に連結片の底部を載せ且つ位置固定するようにしても良い。
【００１１】
また、本考案には、前記Ｌ形材の垂直部における上端の支持部は、接離可能な一対の挟み板を含み、係る一対の挟み板の間には、傘の柄が挟持される、跨座式農作業用台車（請求項４）も含まれる。
これによれば、傘（雨傘または日傘）の柄を一対の挟み板の間に挟んで固定することで、雨水や日光を遮りつつ、必要な農作業を確実に行える。従って、天候に左右されず、所望の農作業を行うことができる。尚、前記傘には、例えば、ビーチパラソル、あるいは菅笠なども含まれる。
【００１２】
更に、本考案には、前記Ｌ形材の垂直部における中間の支持部は、係る垂直部に対し水平方向に沿って旋回可能に支持される基端部と、該基端部から水平方向に延びたアームと、該アームの先端に設けた支持台と、を備えている、跨座式農作業用台車（請求項５）も含まれる。
これによれば、支持台の上にベルトなどを用いてファンを固定することで、夏季に涼を得たり、あるいは、セラミックヒータを固定することで、厳冬期に暖を取ることが可能となり、農作業を季節にかかわりなく快適に行える。
尚、上記支持台の上には、例えば、トランジスタラジオ、ラジカセ、あるいは液晶テレビなどを固定することも可能である。
付言すれば、本考案は、前記フレームの前後方向の両端には、斜め下向きの取手が固着されている、跨座式農作業用台車とすることも可能である。
これによる場合、取手に指や紐などを引っ掛けて、フレームと共に本農作業用台車を、所望の位置（次に農作業すべき畝付近）に引っ張って移動したり、休憩するための畦道などに移動することが容易となる。あるいは、収穫物や雑草などを運ぶ別の台車を牽引するためのロープなどを結びつけるのに利用しても良い。
【図面の簡単な説明】
【００１３】
【図１】本考案の跨座式農作業用台車の要部を示す分解斜視図。
【図２】上記跨座式農作業用台車の要部を示す斜視図。
【図３】上記農作業用台車における一対のブレーキ板付近を示す部分斜視図。
【図４】上記一対のブレーキ板の作用を示す概略図。
【図５】上記跨座式農作業用台車の使用状態を示す概略図。
【図６】上記跨座式農作業用台車の異なる使用状態を示す概略図。
【考案を実施するための形態】
【００１４】
以下において、本考案を実施するための形態について説明する。
図１は、本考案による一形態の跨座式農作業用台車１の要部を示す分解斜視図、図２は、その斜視図である。
跨座式農作業用台車１は、図１，図２に示すように、前後方向に細長いフレーム２、係るフレーム２の前後左右の両側ごとに取り付けた４個の車輪Ｗ１，Ｗ２、上記フレーム２の上面２ａの中央付近から立設した支柱６、係る支柱６に対し水平方向に旋回可能に嵌装された筒体７、係る筒体７の中間から水平方向に延びた枝管９、および上記支柱６の上端に取り付けられる座板２４を含んでいる。
上記フレーム２は、平面視が細長い矩形（長方形）で断面チャンネル形の型鋼からなり、その前後を水平方向に沿って貫通する一対の車軸（図示せず）に車輪Ｗ１，Ｗ２が回転可能に支持されている。係るフレーム２の前後方向の両端には、平面視がコ字形状の取手３，４が斜め下向きに固着（溶着を含む：以下同じ）されている。尚、前記車輪Ｗ１，Ｗ２は、例えば、合成ゴムからなる市販品である。
【００１５】
図１，図２に示すように、前記フレーム２の上面２ａの中央付近に明けた４個の貫通孔ｈ１と、支柱６の下端に固着した四角いベース板５のコーナー付近ごとに明けた４個の貫通孔ｈ２とには、ボルトｂ１が個別に貫通し、これらにナットｎ１を締結することで、支柱６がフレーム２上面２ａの中央付近に立設される。
また、支柱６の上端に固着した四角い水平板１０のコーナー付近ごとに明けた４個の貫通孔ｈ３と、座板２４の水平部２５に明けた４個の貫通孔ｈ４とには、丸皿頭のボルトｂ２が個別に貫通し、これらにナットｎ２を締結することで、支柱６の上端に座板２４が固定される。係る座板２４は、比較的幅広の水平部２５、その前後の傾斜部２６，２７、およびこれら傾斜部２６，２７の前・後端縁から斜め前方向あるいは垂直方向に突出した掴み片２８，２９を一体に備えている。
尚、座板２４は、図１，図２に示した方向と平面視で９０度回転した姿勢で、水平板１０上に固定することもできる。また、座板２４上には、図示しない掛けバンド付きのクッション、あるいは締め紐付きの座布団を敷設しても良い。
【００１６】
図１，図２に示すように、支柱６に旋回可能に嵌装された筒体７の中間から水平方向に延びた枝管９の中間には、図示しない貫通孔に連通するナットｎ３が固着され、これにボルトｂ３が締結される。尚、筒体７の下部には、径方向に操作棒兼締め付けボルト８が突設され、係る筒体７および次述するＬ形管１１を水平方向の任意の位置に旋回すると共に、その位置で当該筒体７を固定できる。
上記枝管９の内側には、Ｌ形管１１の水平な基部１２の先端部が挿入され、係る先端部に明けた貫通孔ｈ５には、ナットｎ３を貫通した上記ボルトｂ３の先端部が進入することで、Ｌ形管１１の垂直部１３を垂直姿勢で保持・固定している。係る垂直部１３には、上下一対の円盤１４，１５が固着されている。これらの中間には、ボルトｂ５により位置固定される筒形の基端部１６、係る基端部１６から水平方向に延びたアーム１７、および該アーム１７の先端に設けた支持台１８からなる中間の支持部ｓ１が配置されている。平面視が円形あるいは長円形の支持台１８上には、図２中の一点鎖線で示すように、複数の羽根ｆ１をファンＦの台座ｆ２が載置され、破線で示すベルトｖにより固定される。
尚、上記円盤１４は、ボルトｂ５の緩みによって、基端部１６などの支持部ｓ１が脱落する事態を防ぐものである。また、暑さ対策用の上記ファンＦに替えて、寒さ対策用のセラミックヒータなどを支持台１８上に固定しても良い。
【００１７】
図１，図２に示すように、Ｌ形管１１の垂直部１３のうち、上側の円盤１５よりも上方の垂直部１３には、貫通孔ｈ６が明けられている。係る上端側の垂直部１３には、挟み板２２と、これに対向し且つ相似形の挟み板２３とからなる上端の支持部ｓ２が着脱可能とされている。一方の挟み板２２の外側面には、上端側の垂直部１３を受け入れる中空部１９を有する筒部２０が固着され、係る筒部２０の中間には、内周面に雌ネジが刻設された貫通孔ｈ７を有する枝部２１が突設されている。図２に示すように、係る枝部２１の貫通孔ｈ７にボルトｂ８を挿入し、且つ筒部２０の中空部１９内に挿入された上端側の垂直部１３の貫通孔ｈ６に上記ボルトｂ８の先端部を進入させることで、上記支持部ｓ２が取り付けられる。
一対の上記挟み板２２，２３の中央には、大径の貫通孔ｈ８が連通して形成され、これらに太径のボルトｂ６が貫通し、その雄ネジ部に図示しないナットを締結すると共に、挟み板２２，２３の四隅ごと付近に明けた貫通孔ｈ９には、ボルトｂ７が個別に貫通し、それらにナットｎ４を締結することで、挟み板２２，２３間に傘（雨傘または日傘）Ａの柄ａ１を挟持可能としている。尚、係る傘Ａは、支柱ａ２が伸縮式で、且つ布部が２段ないし３段式に折り畳み可能なものでも良い。また、前記円盤１５は、前記支持部ｓ２の脱落を防ぐものである。
【００１８】
図１，図２に示すように、フレーム２の前端（一端）には、前側における一対の車輪Ｗ１，Ｗ１の周面に個別に当接および離間可能な左右一対のブレーキ板３１，３２と、これらを支持する連結片３３とが配置されている。
図３は、一対の上記ブレーキ板３１，３２付近を示す部分斜視図であり、図４は、一対のブレーキ板３１，３２の作用を示す概略図である。
図３に示すように、フレーム２の両側面２ｂには、連結片３３における左右一対の傾斜片３４の基端部３５がピンＰにより、垂直方向に沿って旋回可能に支持されている。係る連結片３３における傾斜片３４ごとの中間にブレーキ板３１，３２の基端部が固着されている。また、フレーム２の前端側に斜め下向きに設けた取手３における左右の傾斜片上にまたがって筒体３６が水平に固着され、該筒体３６には、ほぼ長円形のリング３７が垂直方向に沿って回転可能に支持されている。
【００１９】
図４中の一点鎖線で示すように、通常、連結片３３および一対の傾斜片３４は、ほぼ水平向きとされ、車輪Ｗ１，Ｗ１の周面とは僅かな隙間を挟んで離間している。例えば、傾斜地において停止したい場合、指によって連結片３３を一対の傾斜片３４と共に持ち上げると、図４中の実線の矢印で示すように、連結片３３および一対の傾斜片３４が若干上向きに旋回する。同時にブレーキ板３１，３２も上側に移動する。その結果、ブレーキ板３１，３２における後端側の側面のうち、上縁辺が隣接していた車輪Ｗ１の周面に当接し、係る車輪Ｗ１の回転を不能とする。係る状態を保つには、リング３７を上向きに回転し、連結片３３の底辺に突き当てることで、ブレーキ板３１，３２を含む連結片３３の下降を防止できる。
尚、上記と逆の操作を行うことで、ブレーキ板３１，３２を当接していた車輪Ｗ１の周面から離間させ、ブレーキ状態を解除することができる。また、上記のようなブレーキ板３１，３２、連結片３３、およびリング３７は、フレーム２の後端側の車輪Ｗ２，Ｗ２付近にも配置しても良い。
【００２０】
図５は、前記跨座式農作業用台車１の使用状態を示す概略図である。
図５に示すように、図示の前後方向に沿って畝Ｕ１，Ｕ２が平行に形成され、これらの間に幅が約５０〜７０ｃｍ程度の路地Ｒが配置されている。係る路地Ｒの長手（図示の前後）方向に沿って、フレーム２の前後方向がほぼ平行となり、且つ座板２４の向きもその前後方向がほぼ平行となるように、本農作業用台車１を配置する。作業者Ｓは、座板２４上に腰を下ろし、且つフレーム２をまたいで、その両足を路地Ｒの路肩付近に接地した状態とする。係る状態で、例えば、片手を伸ばして、畝Ｕ２の雑草を取り除いたり、あるいは収穫期を迎えた野菜や果実などを採取するなどの農作業を行う。この間において、支持部ｓ１の支持台１８上に固定したファンＦにより冷風が身体に吹き付けられるので、夏季の暑さを抑制することができる。更に、上端の支持部２２，２３に前記傘Ａを挟むことで、強い日差しや雨水を遮ることも可能となる。
尚、Ｌ形管１１の垂直部１３の位置を調節することで、作業者Ｓが別の片手を伸ばして、畝Ｕ１の雑草を除去するなどの農作業も可能である。また、畝Ｕ１，Ｕ２への農作業を交互に行いつつ、図５の前後へ移動して行くようにしても良い。
【００２１】
図６は、前記同様の畝Ｕ１，Ｕ２間の路地Ｒの前後方向に沿って、フレーム２の前後方向を平行とし、且つ座板２４の向きを図示で左右方向に沿うように、跨座式農作業用台車１を配置した状態を示す。この際、本農作業用台車１は、畝Ｕ１に近い路地Ｒの路肩寄りに位置させても良い。係る状態で、例えば、両手を伸ばして、畝Ｕ２の雑草を取り除くなどの農作業を行う。この間において、前記と同様にファンＦにより涼を取ったり、傘Ａによって日差しなどを遮ることもできる。
尚、上記形態の場合、例えば、畝Ｕ２への農作業を横移動しつつ順次行った後、本農作業用台車１を平面視で１８０度回転させ、畝Ｕ１への農作業を行うようにする。また、図５，図６に示した何れの形態でも、農作業の途中で座板２４に座ったままの状態で、休息を適宜取ったり、あるいは携帯食を取ることもできる。
【００２２】
本考案は、以上において説明した各形態に限定されるものではない。
例えば、前記枝管９は、筒体７の周面における異なる位置から２本を水平に延ばし、これに２本のＬ形管１１の基部１２を個別に取り付けても良い。
また、前記Ｌ形管１１における下側の円盤１４の上面に図示しないピンを立設し、係るピンに対し、例えば、ネットや篭を吊り下げて、採取した野菜や除草した雑草などを入れることも可能である。
更に、座板２４を支柱６の上端に対し、水平方向に９０度の間隔で回転可能とし、且つ各位置で回転を停止する機構を付加しても良い。
加えて、フレーム２に取り付ける車輪Ｗｎは、前後左右の４個の車輪Ｗ１，Ｗ２を含むものであれば、これらの間に２個を加えた６輪、あるいは４個を加えた８輪としても良い。
【産業上の利用可能性】
【００２３】
本考案の跨座式農作業用台車は、比較的小規模の田畑や家庭菜園などにおいて座ったままの姿勢で農作業を高齢者や婦人などでも楽に行え、且つ安価に製造することが可能となる。
【符号の説明】
【００２４】
１……………跨座式農作業用台車、            ２……………フレーム、
２ａ…………上面、                          ２ｂ…………側面、
６……………支柱、                          ７……………筒体、
９……………枝管、                          １１…………Ｌ形管、
１２…………基部、                          １３…………垂直部、
１８…………支持台、                        ２２，２３…挟み板、
２４…………座板、                          ３１，３２…ブレーキ板、
３３…………連結片、                        ３５…………基端、
Ｗ１，Ｗ２…車輪、                          ｓ１，ｓ２…支持部、
Ａ……………傘、                            ａ１…………傘の柄、
Ｆ……………ファン
【図１】
0003155385.tif 000003
【図２】
0003155385.tif 000004
【図３】
0003155385.tif 000005
【図４】
0003155385.tif 000006
【図５】
0003155385.tif 000007
【図６】
0003155385.tif 000008